(57)【要約】【課題】置物において、水晶で収集したエネルギーをフラクタル構造体によってとどめるようにする。【解決手段】フラクタル構造体１は、各辺が３等分されて、フラクタル構造体１と相似形の第２段階の構造体１０が構成されている。さらに第２段階の構造体１０は、各辺が３等分されて、第２段階の構造体１０と相似形の第３段階の構造体１００が構成されている。フラクタル構造体１には、各面心を貫通する角柱空洞２が形成されている。また、第２段階の構造体１０には、各面心を貫通する角柱空洞２０が形成されている。また、第３段階の構造体１００には、各面心を貫通する角柱空洞２００が形成されている。フラクタル構造体１の全体を、エネルギー（運気）を収集するといわれている水晶によって形成する。【選択図】図１
2007244778.tif 000002
【特許請求の範囲】
【請求項１】
載置面に載置して又は携行して使用する運気高揚グッズにおいて、
３次元フラクタル構造をパワーストーンによって構成した、
ことを特徴とする運気高揚グッズ。
【請求項２】
載置面に載置して又は携行して使用する運気高揚グッズにおいて、
パワーストーンの内部に３次元フラクタル構造を構成した、
ことを特徴とする運気高揚グッズ。
【請求項３】
載置面に載置して又は携行して使用する運気高揚グッズにおいて、
パワーストーンで形成した立体に隣接して３次元フラクタル構造を配設した、
ことを特徴とする運気高揚グッズ。
【請求項４】
載置面に載置して又は携行して使用する運気高揚グッズにおいて、
ピラミッド形状の構成物の内側に３次元フラクタル構造を配設した、
ことを特徴とする運気高揚グッズ。
【請求項５】
前記３次元フラクタル構造が立方体状に形成されている、
ことを特徴とする請求項１ないし４のいずれか１項に記載の運気高揚グッズ。
【請求項６】
前記３次元フラクタル構造が三角錐状に形成されている、
ことを特徴とする請求項１ないし４のいずれか１項に記載の運気高揚グッズ。
【発明の詳細な説明】
【技術分野】
【０００１】
本発明は、家庭や事務所において机上や棚上に載置して使用したり、携行したりして使用する運気高揚グッズに関する。
【背景技術】
【０００２】
自然界には、部分の構造と全体の構造とが同じである、いわゆる自己相似性といわれるフラクタル構造が種々、存在するといわれている。例えば、リアス式海岸や川（水路）の枝分かれや樹木の枝分かれがある。
一方、３次元のフラクタル構造が電磁波を一時的に内部にとどめることができることが実験によって確認された、と報じられている（非特許文献１参照）。
【非特許文献１】２００４年１月７日朝日新聞
【発明の開示】
【発明が解決しようとする課題】
【０００３】
従来、水晶，ルビー，アンバー等のいわゆるパワーストーンと呼ばれている石は、その材質により、運気を収集するといわれている。また、ピラミッド構造（四角錐）は、その形状により運気を収集するといわれている。
【０００４】
ここで、仮に、運気がエネルギーの一種であるとすれば、同じエネルギーである電磁波を内部にとどめることが可能な３次元のフラクタル構造が運気をもとどめることができるとも考えられる。そして、エネルギーが身近に存在していれば、その人はやる気に満ちた日常を送ることができ、さらに運気が身近に存在していれば、その人は幸運に恵まれるものと考えられる。
【０００５】
しかしながら、従来は、パワーストーンによって収集したエネルギー（運気）を有効にとどめておく手段がなかったので、せっかく収集したエネルギー（運気）を十分に活用することができないという問題があった。
【０００６】
そこで、本発明は、パワーストーンやピラミッド構造と、３次元フラクタル構造とを組み合わせることにより、パワーストーンやピラミッド構造で収集したエネルギーを、３次元フラクタル構造でとどめるようにし、もってやる気や運気を高めるようにした運気高揚グッズを提供することを目的とするものである。
【課題を解決するための手段】
【０００７】
請求項１に係る発明は、載置面に載置して又は携行して使用する運気高揚グッズにおいて、３次元フラクタル構造をパワーストーンによって構成した、ことを特徴とする。
【０００８】
請求項２に係る発明は、載置面に載置して又は携行して使用する運気高揚グッズにおいて、パワーストーンの内部に３次元フラクタル構造を構成した、ことを特徴とする。
【０００９】
請求項３に係る発明は、載置面に載置して又は携行して使用する運気高揚グッズにおいて、パワーストーンで形成した立体に隣接して３次元フラクタル構造を配設した、ことを特徴とする。
【００１０】
請求項４に係る発明は、載置面に載置して又は携行して使用する運気高揚グッズにおいて、ピラミッド形状の構成物の内側に３次元フラクタル構造を配設した、ことを特徴とする。
【００１１】
請求項５の発明は、請求項１ないし４のいずれか１項に記載の運気高揚グッズにおいて、前記３次元フラクタル構造が立方体状に形成されている、ことを特徴とする。
請求項６の発明は、請求項１ないし４のいずれか１項に記載の運気高揚グッズにおいて、前記３次元フラクタル構造が三角錐状に形成されている、ことを特徴とする。
【発明の効果】
【００１２】
本発明によると、パワーストーンやピラミッド構造で収集したエネルギーを、３次元フラクタル構造で内部にとどめることが可能であるので、やる気や運気を高揚させることができる。
【発明を実施するための最良の形態】
【００１３】
以下、図面に沿って、本発明の実施の形態について説明する。
＜実施の形態１＞
図１，図２に、本発明に係る運気高揚グッズの一例として置物Ａを示す。このうち図１は、置物Ａの斜視図である。また、図２は、置物Ａの１つの面を正面から見た図である。
【００１４】
これらの図に示すように、置物Ａは、立方体のフラクタル構造、いわゆるステージ３のメンジャースポンジ型のフラクタル構造体１（第１段階の構造体）によって構成されている。フラクタル構造体１は、各辺が３等分されて、フラクタル構造体１と相似形の第２段階の構造体１０が２７個構成されている。さらに第２段階の構造体１０は、各辺が３等分されて、第２段階の構造体１０と相似形の第３段階の構造体１００が２７個構成されている。フラクタル構造体１には、各面心を貫通する角柱空洞２が形成されている。また、第２段階の構造体１０には、各面心を貫通する角柱空洞２０が形成されている。また、第３段階の構造体１００には、各面心を貫通する角柱空洞２００が形成されている。図１中の符号３は、フラクタル構造体１の前後，左右，上下方向の３つの角柱空洞２が交差して、体心に構成される立方体空洞を示している。
【００１５】
本実施の形態では、フラクタル構造体１の全体が、エネルギー（運気）を収集するといわれているパワーストーン、例えば水晶，ルビー，アンバー等によって形成されている。
【００１６】
これらパワーストーンは、その材質によりエネルギー（運気）を収集することができる、そして、上述のフラクタクル構造体１は、その構造によりエネルギー（運気）を内部にとどめておくことができる。
【００１７】
そして、本実施の形態に係る置物Ａは、パワーストーンによってフラクタクル構造１を構成しているので、両者の特性、すなわちエネルギー（運気）を収集し、収集したエネルギーを内部にとどめておくことができる。
【００１８】
したがって、このような置物Ａを、家庭や事務所の机上や棚上に載置しておけば、その近傍の人々、つまり家庭内の人や事務所に勤務する人を、やる気を起こさせたり、また幸運をもたらせたりすることができる。
＜実施の形態２＞
【００１９】
図３に、本実施の形態に係る置物Ｂを示す。
同図に示す置物Ｂは、球状に形成した水晶玉４の内部に、フラクタル構造体１を形成したものである。このような加工は、例えば、水晶玉４の内部の所定の位置に、順次にレーザービームを照射することによって形成することができる。
【００２０】
本実施の形態に係る置物Ｂは、上述の実施の形態１と同様、水晶によって収集したエネルギーを、フラクタル構造体１によってとどめることができる。
【００２１】
本実施の形態２においても、上述の実施の形態１と同様の効果を挙げることができる。すなわち、置物Ｂの近傍の人々にやる気や幸運をもたらすことができる。
＜実施の形態３＞
【００２２】
図４に、本実施の形態に係る置物Ｃを示す。
【００２３】
同図に示す置物Ｃは、四角錐のいわゆるピラミッド構造５の内側にフラクタル構造体１を配設したものである。本実施の形態では、ピラミッド構造５及びフラクタル構造体１の材質は任意とすることができる。
【００２４】
本実施の形態に係る置物Ｃは、ピラミッド構造５によって収集したエネルギーを、フラクタル構造体１によってとどめることができる。ピラミッド構造５は、その形状に由来して、エネルギー（運気）を収集することができるので、その材質については、任意のものを使用することが可能である。
【００２５】
本実施の形態３においても、上述の実施の形態１と同様、置物Ｃの近傍の人々にやる気や幸運をもたらすことができる。
＜実施の形態４＞
【００２６】
図５に、本実施の形態に係る置物Ｄを示す。
同図に示す置物Ｄは、水晶玉４に隣接するように、フラクタル構造体１を配設したものである。本実施の形態では、フラクタル構造体１の材質は任意とすることができる。
【００２７】
本実施の形態に係る置物Ｄは、水晶玉４によって収集したエネルギーを、フラクタル構造体１によってとどめることができる。
【００２８】
なお、水晶玉４とフラクタル構造体１との位置関係は、任意とすることができる。例えば、図５の配置とは逆に、フラクタル構造体１の上に水晶玉４を載置するようにしてもよく、あるいは両者を左右又は前後に並べるようにしてもよい。
【００２９】
本実施の形態４においても、上述の実施の形態１と同様、置物Ｄの近傍の人々にやる気や幸運をもたらすことができる。
＜実施の形態５＞
【００３０】
図６に、本実施の形態に係る置物Ｅを示す。
同図に示す置物Ｅは、三角錐の部分の構造と、三角錐の全体の構造とが相似な３次元のフラクタル構造６によって構成されている。本実施の形態では、フラクタル構造６は、水晶，ルビー，アンバー等のパワーストーンによって構成されている。
【００３１】
本実施の形態に係る置物Ｅは、パワーストーンによって収集したエネルギー（運気）を、フラクタル構造体６によってとどめることができる。
【００３２】
本実施の形態５においても、上述の実施の形態１と同様、置物Ｅの近傍の人々にやる気や幸運をもたらすことができる。
【００３３】
なお、上述の実施の形態２〜４（図３〜図５）における立方体のフラクタル構造体１に代えて、図５に示す三角錐のフラクタル構造体６を使用するようにしてもよい。さらには、フラクタル構造体としては、上述の立方体や三角錐の他に、任意の形状のものを使用することが可能である。つまり、エネルギー（運気）をとどめておけるものであれば、その形状は限定されるものではない。
【００３４】
また、上述の実施の形態１〜５においては、本発明に係る運気高揚グッズを、置物に適用した場合を例に説明したが、本発明はこれに限定されるものではない。例えば、上述の実施の形態１〜５で説明したものと同様の構造、材質のキーホルダーや財布に入れる小物に適用してもよい。この場合、キーホルダーや小物は、その人が常に身近に携行することになるので、さらに大きな効果を期待することができる。
【図面の簡単な説明】
【００３５】
【図１】実施の形態１の置物Ａを示す斜視図である。
【図２】実施の形態１の置物Ａを示す正面図である。
【図３】実施の形態２の置物Ｂを示す斜視図である。
【図４】実施の形態３の置物Ｃを示す斜視図である。
【図５】実施の形態４の置物Ｄを示す斜視図である。
【図６】実施の形態５の置物Ｅを示す斜視図である。
【符号の説明】
【００３６】
１          立方体のフラクタル構造体
２          フラクタル構造体の面心を貫通する角柱空洞
４          水晶玉（水晶）
５          ピラミッド構造（ピラミッド形状の構造物）
６          三角錐状のフラクタル構造体
１０        第２段階の構造体
２０        第２段階の構造体の面心を貫通する角柱空洞
１００      第３段階の構造体
２００      第３段階の構造体の面心を貫通する角柱空洞
【図１】
2007244778.tif 000003
【図２】
2007244778.tif 000004
【図３】
2007244778.tif 000005
【図４】
2007244778.tif 000006
【図５】
2007244778.tif 000007
【図６】
2007244778.tif 000008